(57)【要約】      （修正有）【課題】ドラフト用に使用する洗浄塔を軽量で光沢に優れた、ダイオキシンの発生しないポリプロピレンを使用し、且つ内部には、シャワーの上部にミストセパレーター及びデミスターを装設したドラフト用湿式及び乾式併用ガス洗浄装置を提供する。【解決手段】構成材料にポリプロピレンのオレフィン系樹脂を使用し、内部の下部より循環ポンプ５、水槽６、充填材室７及びシャワー８を介して上部にミストセパレーター及びデミスター９と複数の活性炭フィルター１０を収納装設したものである。【選択図】図１
0003177528.tif 000002
【実用新案登録請求の範囲】
【請求項１】
洗浄塔本体（１）は、外周の側壁に吸込口（２）と上部に排風機（１１）を設けた吐出口（３）よりなるドラフト用湿式及び乾式併用ガス洗浄装置において、該洗浄塔本体（１）は、その構成材料として硬質合成樹脂のポリプロピレン系樹脂を以って構成し、且つ該洗浄塔本体（１）の内部には、下部より循環ポンプ（５）、水槽（６）、充填材室（７）及びシャワー（８）を介してミストセパレーター及びデミスター（９）と上部に活性炭フィルター（１０）を収納したドラフト用湿式及び乾式併用ガス洗浄装置。
【考案の詳細な説明】
【技術分野】
【０００１】  本考案は、ドラフト用に使用される洗浄塔であって、軽量で光沢の美しいダイオキシンが発生しないポリプロピレンを使用して構成し、且つ侵入通路の途中に活性炭を保護するためのミストセパレーター及びデミスターを介在したドラフト用湿式及び乾式併用ガス洗浄装置に関するものである。
【背景技術】
【０００２】  従来この種のドラフト用に使用されるガス洗浄装置における洗浄塔本体は、換気ガスが充填材室を通過時にシャワーで洗浄した状態で通過するため、湿気が著しく増大して水滴状態のまま送流され、次の活性炭等のフィルターの効果を著しく低下されている現状である。
また、従来この種の洗浄塔に使用される構成材料は、塩化ビニール等を主として使用しているため、ダイオキシンが発生し、環境を著しく悪化すると云う問題点がある。
【考案の概要】
【考案が解決しようとする課題】
【０００３】  本考案は、上記従来の欠点に鑑みてなされたものであり、その主たる目的とする所は、洗浄塔本体をポリプロピレンを使用して形成し、耐熱性、耐薬品性及び耐蝕性に優れ、且つ耐衝撃性に優れ振動等による破損や亀裂の恐れもなく、軽量で光沢の美しい硬質合成樹脂を使用し、切削加工性が良く、現場での組立や補修が容易に出来るようにしたものである。
更に、本考案の目的とする所は、洗浄塔本体の内部に設けた充填材室の上部に位置するシャワーの上部にミストセパレーター及びデミスターを設置することによって、湿気の水滴等を乾燥させて上部に位置する活性炭フィルターを湿気から保護して乾燥を保持するようにしたものである。
【課題を解決するための手段】
【０００４】  上記目的を達成するために、本考案のドラフト用湿式及び乾式併用ガス洗浄装置においては、洗浄塔本体（１）は、硬質合成樹脂をポリプロピレンのオレフィン系樹脂を以って成形する。
該洗浄塔本体（１）には、外周の側壁の下方に吸込口（２）を設けると共に、上端に吐出口（３）を装設する。
また、該洗浄塔本体（１）の内部には、下端より循環ポンプ（５）、その上部に水槽（６）及びパッキングを収納する充填材室（７）を設ける。該充填材室（７）の上部には、シャワー（８）とミストセパレーター及びデミスター（９）、上部に活性炭フィルター（１０）（１０）が複数個収納装設してなるものである。
【考案の効果】
【０００５】  本考案は、以上説明したように構成されているので、以下の記載されたような効果がある。
洗浄塔本体は、従来の塩化ビニール製のものと比較すると、ポリプロピレンを使用しているので、比重が小さく軽量化され、且つ耐熱性、耐薬品性及び耐蝕性に優れる効果と、切削加工性が良好であると共に、ホットジェット溶接が容易な効果と、ダイオキシンの発生しないため大変に環境に優れている効果がある。
そして、洗浄塔本体の内部に設けたフィルターの充填材室とシャワーの上部に設けたミストセパレーター及びデミスターを介在させたので、充填材より上昇する水滴を乾燥排除すると共に、活性炭の乾燥を果し、従来のものと比較すると活性炭の効果を長期に亘って充分に達成できると云う優れた効果がある。
【図面の簡単な説明】
【０００６】
【図１】  本考案の一部開示した正面図である。
【図２】  同じく本考案の内部を開示した縦断側面図である。
【図３】  同じく本考案の一部欠除した背面図である。
【図４】  本考案の洗浄塔本体の上面図である。
【考案を実施するための形態】
【０００７】  洗浄塔本体（１）は、ドラフト等よりの排気ガスは、吸込口（２）（２）より侵入し、排風気と循環ポンプ用スィッチ（１４）の操作により、先ず吸込口（２）より充填材室（７）に入り、該充填材室（７）の内部を通過して内部のパッキンにより濾過され上昇し、シャワー（８）に侵入洗浄された水滴の含んだ排気ガスは、上部のミストセパレーター及びデミスター（９）で水切り乾燥された状態で上方に位置する複数の活性炭フィルター（１０）の内部で通過処理され、上部の排風機（１１）を経て吐出口（３）より大気中に放出するものである。
【実施例】
【０００８】  次に、本考案の実施例を図面について説明すると、洗浄塔本体（１）は、硬質合成樹脂のポリプロピレン系樹脂を以って構成し、全体を縦型の方形状に形成され、下端には、循環ポンプ（５）と、その上部の水槽（６）を排水管（１６）によって連結している。
該吸込口（２）よりの侵入ガスは、充填材室（７）を通過と同時に上部のシャワー（８）によって洗浄濾過される。
該シャワー（８）によって、洗浄された排気ガスは、充填に水滴を含んだ状態で上昇し、上部に位置するミストセパレーター及びデミスター（９）の内部を通過する際に水滴を排除して乾燥状態を同時に併用するものである。
次に、該ミストセパレーター及びデミスター（９）を通過した乾燥された排気ガスは、上部の複数の活性炭フィルター（１０）を並列した室内を上昇し、上部に設置した排風機（１１）とモーター（１２）の作動によって上部に設置した吐出口（３）により外部に放出するものである。【０００９】  図１、図３に示す符号（１４）は、該洗浄塔本体（１）側壁に取付けた排風機、循環ポンプ用スィッチを示し、同じく側壁に設けた符号（１５）は、ボールタップ付バルブを示したものである。
また、符号（１３）は、モーター（１２）のモーターカバーを示したものである。
次に、図２に示す符号（１７）は、該水槽（６）の上部に設けた給水、薬液注入口を示したものである。また、該活性炭フィルター（１０）の内部を調べる活性炭、監視用の覗き窓（１８）を設け、該シャワー（８）の室内を覗き見るシャワー監視窓（１９）を装設する。更に、該給水、薬液注入口（１７）の内部を監視するための水位覗き窓（２０）を各々装設する構造となっている。
【符号の説明】
【００１０】１            洗浄塔本体
２            吸込口
３            吐出口
５            循環ポンプ
６            水槽
７            充填材室
８            シャワー
９            ミストセパレーター及びデミスター
１０          活性炭フィルター
１１          排風機
１２          モーター
１３          モーターカバー
１４          排風機、循環ポンプ用スィッチ
１５          ボールタップ付バルブ
１６          排水管
１７          給水、薬液注入口
１８          活性炭、監視用の覗き窓
１９          シャワー監視窓
２０          水位覗き窓
【図１】
0003177528.tif 000003
【図２】
0003177528.tif 000004
【図３】
0003177528.tif 000005
【図４】
0003177528.tif 000006